(57)【要約】【課題】緩み止めの対象となる部材に適正トルクで締め付けたままの状態で装着することができ、また、ネジ締結された部材の緩みを確実に防止することができる緩み止め具を提供する。【解決手段】第一締結部材１０の工具掛け１３の二面幅を係止する係止部７１を有し、第一締結部材１０に装着される第一止め具部材７０と、第二締結部材２０の工具掛け２３の二面幅を係止する係止部８１を有し、第二締結部材２０に装着される第二止め具部材８０と、第一止め具部材７０に設けられた雌ネジ７４または貫通孔に螺着されると共に、第二止め具部材８０に設けられたボルト孔８４に挿通されて第一止め具部材７０に対して第二止め具部材８０を固定する固定ボルト９０とを備え、ボルト孔８４は、第一止め具部材７０に対する第二止め具部材８０の取付け角度を調節可能な長穴状に形成されている。【選択図】図３
2016038026.tif 000002
【特許請求の範囲】
【請求項１】
夫々六角形状の工具掛けを有し、ネジによって締結された第一締結部材及び第二締結部材の相互の緩みを防止する緩み止め具であって、
前記第一締結部材の工具掛けの二面幅を係止する係止部を有し、前記第一締結部材に装着される第一止め具部材と、
前記第二締結部材の工具掛けの二面幅を係止する係止部を有し、前記第二締結部材に装着される第二止め具部材と、
前記第一止め具部材に設けられた雌ネジまたは貫通孔に螺着されると共に前記第二止め具部材に設けられたボルト孔に挿通されて、前記第一止め具部材に対して前記第二止め具部材を固定する固定ボルトとを備え、
前記ボルト孔は、第一止め具部材に対する前記第二止め具部材の取付け角度を調節可能な長穴状に形成されている
ことを特徴とする緩み止め具。
【請求項２】
前記雌ネジまたは貫通孔は、所定ピッチ角度で複数設けられており、
前記ボルト孔は、前記雌ネジの所定ピッチ角度未満の長穴状に形成されている
ことを特徴とする請求項１に記載の緩み止め具。
【請求項３】
前記第一止め具部材または前記第二止め具部材の少なくとも一方には、該第一止め具部材または該第二止め具部材を前記第一締結部材または前記第二締結部材に固定する止めネジを備えている
ことを特徴とする請求項１または請求項２に記載の緩み止め具。
【発明の詳細な説明】
【技術分野】
【０００１】
本発明は、夫々六角形状の工具掛けを有し、ネジによって締結された第一締結部材及び第二締結部材の相互の緩みを防止する緩み止め具に関するものである。
【背景技術】
【０００２】
ネジによって二つの部材を互いに締結する構造においては、二つの部材の夫々に、スパナ等の工具を掛けることができるように六角形状の工具掛けが設けられている場合がある。そして、互いに締結された二つの部材が緩まないように緩み止め具を採用する場合、夫々の部材に設けられた工具掛けを利用する構造が公知である。
【０００３】
例えば図６に、従来の緩み止め具１００の一例を示す。なお、この例では、ネジによって互いに締結される部材として管継手３０を例示しており、雌ネジが設けられた雌側継手１０と雄ネジが設けられた雄側継手２０とを互いに締結させることで配管を接続する管継手３０において、雌側継手１０に対して雄側継手２０が緩まないように緩み止め具１００が装着される。
【０００４】
この管継手３０の詳細を説明する。雌側継手１０は、ホース５０が接続されたスリーブ１１と、このスリーブ１１に回転自在に装着されたハウジング１２とを備え、ハウジング１２の端部には、雌ネジ（図示省略）が設けられている。また、ハウジング１２の外周面には、スパナ等の工具を掛けることができるように、六角形状の工具掛け１３が設けられている。一方、雄側継手２０は、ホース５０が接続されたスリーブ２１と、このスリーブ２１に回転自在に装着されたハウジング２２とを備え、ハウジング２２の端部には、雄ネジが設けられている。また、ハウジング２２の外周面には、スパナ等の工具を掛けることができるように、六角形状の工具掛け２３が設けられている。このような管継手３０によって配管を接続するに際しては、雌側継手１０のスリーブ１１の端面と雄側継手２０のスリーブ２１の端面との間にパッキン４０を介在させ、雌側継手１０のハウジング１２の雌ネジに雄側継手２０のハウジング２２の雄ネジを螺着し、適正な締め付けトルクで締め付けることによって、パッキン４０を適度な押圧力で潰す。これにより、流体漏れが生じないように配管を良好に接続することができる。
【０００５】
次に、緩み止め具１００の詳細を説明する。緩み止め具１００は、雌側継手１０及び雄側継手２０の夫々の工具掛け１３，２３を係止するベース部材１１０と、このベース部材１１０に回動可能に取付けられたプレート部材１２０とからなり、締付ボルト１３０を締め付けることで、互いに締結された雌側継手１０と雄側継手２０とに装着されて、雌側継手１０に対する雄側継手２０の緩みを防止する。
【０００６】
より詳細に説明すると、ベース部材１１０には、一側（図６において左側）に、雌側継手１０の工具掛け１３の二面幅を係止する第一係止部１１１が設けられており、雌側継手１０に装着することで（図６の矢印Ａ参照）、雌側継手１０に対して回転不能に拘束される。また、ベース部材１１０には、他側（図６において右側）に、雄側継手２０の工具掛け２３の角部を係止する第二係止部１１２が所定ピッチ角度で複数設けられている。そして、プレート部材１２０にも、雄側継手２０の工具掛け２３の角部を係止する係止部１２１が所定ピッチ角度で複数設けられている。
【０００７】
管継手３０に緩み止め具１００を装着するに際しては、ベース部材１１０に対してプレート部材１２０を回動させてベース部材１１０の上方を開口させた上で（図６の矢印Ｂ参照）、ベース部材１１０を管継手３０の下方に位置させ、その後、プレート部材１２０を回動させてベース部材１１０の上方の開口を閉塞するようにプレート部材１２０を戻し、締付ボルト１３０によってベース部材１１０に対してプレート部材１２０を締め付ける。すると、ベース部材１１０の第二係止部１１２とプレート部材１２０の係止部１２１とによって雄側継手２０の工具掛け２３の角部が係止され、ベース部材１１０が雄側継手２０に対しても回転不能に拘束される。このようにして、緩み止め具１００は、互いに締結された雌側継手１０と雄側継手２０とに装着されて、雌側継手１０に対する雄側継手２０の緩みを防止する。
【発明の概要】
【発明が解決しようとする課題】
【０００８】
図６に示すような従来の緩み止め具１００では、雄側継手２０の工具掛け２３の角部を係止するベース部材１１０の第二係止部１１２及びプレート部材１２０の係止部１２１が、所定ピッチ角度で設けられている。よって、雌側継手１０と雄側継手２０とを適正なトルクで締め付けた上で緩み止め具１００を装着しようとしても、ベース部材１１０の第二係止部１１２及びプレート部材１２０の係止部１２１が雄側継手２０の工具掛け２３の角部に合致しない場合がある。この場合、ベース部材１１０の第二係止部１１２及びプレート部材１２０の係止部１２１が雄側継手２０の工具掛け２３の角部に合致するように、適正トルクで締め付けた締結について、さらに増し締めするか、或いは緩めなければならない。しかしながら、適正トルクで締め付けた上でさらに増し締めすると、上述した管継手３０の場合では、パッキン４０を損傷させる虞がある。また、パッキン４０を用いない締結構造においても、ネジそのものを損傷させる場合がある。一方、適正トルクで締め付けた締結について、緩めることは、管継手３０においては流体漏れを招く虞があり好ましくない。また、流体漏れを危惧する必要のない部材間の締結においても、適正トルクよりも緩めることは、さらなる緩みを招いたり、想定した堅固な締結が実現できなくなったりすることから好ましくない。
【０００９】
また、上述の緩み止め具１００では、ベース部材１１０の第二係止部１１２とプレート部材１２０の係止部１２１とで雄側継手２０の工具掛け２３の角部といった僅かな部分を係止することから、雄側継手２０に対して堅固な回転止めの効果が得られない場合がある。例えば、工具掛け２３の角部に大きな面取りが施されていると、緩み止め具１００と雄側継手２０との間に滑りが生じて、雄側継手２０が緩み止め具１００に対して回転する場合がある。また、スパナによって締め付ける際に工具掛け２３の角部をスパナによって滑らせてしまう所謂「なめ」によって工具掛け部２３の角部に丸みを付けてしまった場合も同様である。
【００１０】
さらに、上述の緩み止め具１００では、振動や物品の衝突等によって締付ボルト１３０に緩みが生じると、雄側継手２０に対してベース部材１１０の第二係止部１１２とプレート部材１２０の係止部１２１とによる堅固な固定力が得られなくなる。すなわち、締付ボルト１３０が緩むと、雄側継手２０の回転を拘束できなくなり、ネジ締結された部材相互の緩み止め機能をまったく果たさなくなってしまう。
【００１１】
本発明は、上記実情を鑑みてなされたものであり、緩み止めの対象となる部材に適正トルクで締め付けたままの状態で装着することができ、また、ネジ締結された部材の緩みを確実に防止することができる緩み止め具の提供を課題とする。
【課題を解決するための手段】
【００１２】
請求項１の緩み止め具は、夫々六角形状の工具掛けを有し、ネジによって締結された第一締結部材及び第二締結部材の相互の緩みを防止するものであって、前記第一締結部材の工具掛けの二面幅を係止する係止部を有し、第一締結部材に装着される第一止め具部材と、前記第二締結部材の工具掛けの二面幅を係止する係止部を有し、第二締結部材に装着される第二止め具部材と、前記第一止め具部材に設けられた雌ネジまたは貫通孔に螺着されると共に前記第二止め具部材に設けられたボルト孔に挿通されて、前記第一止め具部材に対して前記第二止め具部材を固定する固定ボルトとを備え、前記ボルト孔は、第一止め具部材に対する第二止め具部材の取付け角度を調節可能な長穴状に形成されたものである。
【００１３】
請求項２の緩み止め具は、特に、前記雌ネジまたは貫通孔が、所定ピッチ角度で複数設けられており、前記ボルト孔は、前記雌ネジの所定ピッチ角度未満の長穴状に形成されている。
【００１４】
請求項３の緩み止め具は、特に、前記第一止め具部材または前記第二止め具部材の少なくとも一方に、該第一止め具部材または該第二止め具部材を前記第一締結部材または前記第二締結部材に固定する止めネジを備えている。
【００１５】
本発明の緩み止め具では、長穴状のボルト孔に挿通された固定ボルトによって第一止め
具部材に対して第二止め具部材が固定される。よって、第一止め具部材に対する第二止め具部材の取付け角度が長穴状のボルト孔の範囲で連続的に調節可能であり、ネジによって締結された部材に対して、増し締めや緩めることなく適正トルクで締め付けたままの状態で装着することができる。
【００１６】
また、第一止め具部材と第二止め具部材とが長穴状のボルト孔に挿通された固定ボルトによって固定されることから、第一止め具部材と第二止め具部材との間の滑りや固定ボルトの緩みによって第一止め具部材に対して第二止め具部材のズレが生じたとしても、このズレは、固定ボルトが長穴状のボルト孔の端部に当接するまでの範囲に止まり、それ以上の大きなズレにはならない。よって、固定ボルトに緩みが生じても、固定ボルトが完全に脱落しない限り、「ネジ締結された部材相互の緩み止め機能をまったく果たさなくなる」といった不具合は生じない。
【００１７】
さらに、第一止め具部材及び第二止め具部材は、夫々の係止部によって第一締結部材及び第二締結部材の工具掛けの二面幅を係止するものである。よって、第一止め具部材や第二止め具部材が装着した部材に対して滑ることがなく、ネジによって締結された部材相互の緩みを確実に防止することができる。
【００１８】
ところで、第一止め具部材の係止部及び第二止め具部材の係止部が六角形状の工具掛けの二面幅を係止することから、第二止め具部材のボルト孔は、第一止め具部材に対する第二止め具部材の取付け角度について６０°分の角度調整が可能な長穴状とすればよいのであるが、このようにボルト孔を６０°分の長穴状とすると、上述した滑りや固定ボルトの緩みによって第一止め具部材に対して第二止め具部材のズレが生じた場合に、緩み止めの対象となる部材相互において最大で６０°の回転を許容してしまうことになる。
【００１９】
これに対し、請求項２の発明では、固定ボルトが螺着される雌ネジまたは貫通孔（以下では「雌ネジ（貫通孔）」と表記する）を、例えば、１０°間隔、１５°間隔、２０°間隔、３０°間隔といったように、所定ピッチ角度で複数設けており、ボルト孔の長穴形状を所定ピッチ角度未満としている。これにより、緩み止めの対象となる部材相互における回転の許容を、最大で６０°といったような広範囲ではなく、６０°よりも少ない範囲に抑えることができる。
【００２０】
また、長穴状のボルト孔を雌ネジ（貫通孔）の所定ピッチ角度以上とすると、長穴状のボルト孔内に複数の雌ネジ（貫通孔）が臨むといった現象が生じる場合がある。そして、ボルト孔内に複数の雌ネジ（貫通孔）が臨んでいると、臨んでいる雌ネジ（貫通孔）の中から固定ボルトを螺着する雌ネジ（貫通孔）を選択することになる。ここで、第一止め具部材に対して第二止め具部材が、緩み止めの対象となる部材の緩み側に大きくずれることを許容する側の雌ネジ（貫通孔）が選択されるのは好ましくない。
【００２１】
そこで、請求項２の発明では、ボルト孔の長穴形状を雌ネジ（貫通孔）の所定ピッチ角度未満とし、ボルト孔内に複数の雌ネジ（貫通孔）が臨まないようにしている。これにより、緩み止めの対象となる部材相互における回転の許容範囲を、少ない範囲に的確に抑えることができるといった利点も得ることができる。
【００２２】
第一止め具部材の係止部及び第二止め具部材の係止部は、夫々、第一締結部材の工具掛けの二面幅及び第二締結部材の工具掛けの二面幅を嵌入させるものであるが、工具掛けの二面幅については、規定された許容寸法誤差がある。よって、確実な嵌入を実現させるには、二面幅に対して、第一止め具部材の係止部及び第二止め具部材の係止部にある程度のクリアランスを設けなければならない。このようにクリアランスを設けることから、第一締結部材及び第二締結部材に緩み止め具を装着した状態では、ある程度のガタツキが生じることを免れない。そして、ガタツキが生じていると、カタカタと音鳴りが生じたり、震動によって固定ボルトに緩みが生じたりする場合がある。
【００２３】
これに対し、請求項３の発明では、第一止め具部材に、または、第二止め具部材に、或いは、第一止め具部材及び第二止め具部材の双方に、止めネジを設け、この止めネジによって、第一止め具部材や第二止め具部材の第一締結部材や第二締結部材への堅固な固定を実現している。よって、カタカタと音鳴りが生じたり、振動によって固定ボルトが緩んだりすることを抑制することができる。
【発明の効果】
【００２４】
以上のように、本発明に係る緩み止め具によれば、緩み止めの対象となる部材に適正トルクで締め付けたままの状態で装着することができ、また、ネジ締結された部材の緩みを確実に防止することができる。
【図面の簡単な説明】
【００２５】
【図１】本発明に係る緩み止め具の一例における第一止め具部材を示す図面であり、（ａ）は、正面図、平面図及び右側面図の三面図、（ｂ）は、斜視図である。
【図２】本発明に係る緩み止め具の一例における第二止め具部材を示す図面であり、（ａ）は、正面図、平面図及び右側面図の三面図、（ｂ）は斜視図である。
【図３】図１及び図２に示した緩み止め具の使用例を示す斜視図である。
【図４】第一止め具部材に対する第二止め具部材の取付け角度を変更した状態を示す説明図である。
【図５】ネジ孔を雌ネジの所定ピッチ角度以上の長穴状とした場合の説明図である。
【図６】従来の緩み止め具の一例を示す斜視図である。
【発明を実施するための形態】
【００２６】
本発明に係る緩み止め具の実施形態としての一例を、図面を用いて以下に説明する。なお、本例においては、右回りの回動によって締り、左回りの回動によって緩む一般的なネジである右ネジによって締結された部材相互の緩みを防止する緩み止め具の例を示すが、本発明は、左ネジによって締結された部材相互の緩みを防止するためにも適用することができるものである。そして、左ネジに適用する場合には、以下の説明おいて、締り方向及び緩み方向を逆方向として理解すればよい。
【００２７】
図１、図２及び図３に、緩み止め具６０の一例を示す。なお、本例では、緩み止め具６０の装着対象を、図６に示し、詳細な構造は既に説明した管継手３０としており、図３において図６と同一の符号を付すことで、管継手３０についての説明を省略する。また、管継手３０の雌側継手１０が本発明における「第一締結部材」に相当し、雄側継手２０が本発明における「第二締結部材」に相当するものであり、以下では、雌側継手１０及び雄側継手２０を夫々「第一締結部材１０」及び「第二締結部材２０」と称して説明する。
【００２８】
緩み止め具６０は、第一止め具部材７０、第二止め具部材８０及び固定ボルト９０から構成されている。ここで、第一止め具部材７０は、第一締結部材１０に装着されるものであり、第二止め具部材８０は、第二締結部材２０に装着されるものである。そして、固定ボルト９０は、第一止め具部材７０に対して第二止め具部材８０を固定するものである。
【００２９】
図１に示すように、第一止め具部材７０は、一部が開口となったＵ字状に形成されており、その内面によって、第一締結部材１０の工具掛け１３の二面幅を係止する係止部７１が形成されている。ここで、係止部７１の幅寸法Ｈ１は、第一締結部材１０の二面幅に対してある程度のクリアランスを有する寸法に設定されている。また、係止部７１の入り口部分には、係止部７１の内方に突出する突起７２が設けられており、係止部７１の奥端部分には、止めネジ７３が装着されている。また、第一止め具部材７０には、固定ボルト９０を螺着するための雌ネジ７４が所定ピッチ角度Ｐで複数設けられている。なお、本例では、ピッチ角度：Ｐ＝１５°として、左右で一対となった４組の雌ネジ７４が設けられている。さらに、第一止め具部材７０における係止部７１の奥端部分は、軸方向に延出する延出部７５となっている。
【００３０】
図２に示すように、第二止め具部材８０は、一部が開口となったＵ字状に形成されており、その内面によって、第二締結部材２０の工具掛け２３の二面幅を係止する係止部８１が形成されている。ここで、係止部８１の幅寸法Ｈ２は、第二締結部材２０の二面幅に対してある程度のクリアランスを有する寸法に設定されている。また、係止部８１の入り口部分には、係止部８１の内方に突出する突起８２が設けられている。また、第二止め具部材８０には、固定ボルト９０を挿通させるためのボルト孔８４が左右で対となるように設けられており、このボルト孔８４は、第一止め具部材７０に設けられた雌ネジ７４の所定ピッチ角度未満の長穴状に形成されている。なお、本例では、第一止め具部材７０の雌ネジ７４のピッチ角度：Ｐ＝１５°であることから、長穴の角度：Ｌ＝１２°に設定されている。さらに、ボルト孔８４周りは、第一止め具部材７０に組み付けると第一止め具部材７０側となる面に突出する突出部８３となっている。
【００３１】
次に、緩み止め具６０を緩み防止の対象となる部材に装着する状態を、図３に基づいて説明する。まず、第一止め具部材７０については、図３の矢印Ａで示すように、第一締結部材１０の工具掛け１３よりも小径な部分から係止部７１内に第一締結部材１０を差し入れ、軸方向に移動させて工具掛け１３の二面幅に係止部７１を係止させ、もって、第一締結部材１０に仮装着する。ここで、係止部７１の入り口部分には突起７２が設けられており、この突起７２が工具掛け１３に引っ掛かることで、第一締結部材１０から第一止め具部材７０が不用意に脱落することが防止される。また、軸方向に延出する延出部７５によって、第一止め具部材７０が大きく傾くことなく第一締結部材１０に装着される。
【００３２】
次に、第二止め具部材８０についても同様に、図３の矢印Ｂで示すように、第二締結部材２０の工具掛け２３よりも小径な部分から係止部８１内に第二締結部材２０を差し入れ、軸方向に移動させて工具掛け２３の二面幅に係止部８１を係止させ、もって、第二締結部材２０に仮装着する。ここで、係止部８１の入り口部分には突起８２が設けられており、この突起８２が工具掛け２３に引っ掛かることで、第二締結部材２０から第二止め具部材８０が不用意に脱落することが防止される。
【００３３】
このように、第一止め具部材７０を第一締結部材１０に、第二止め具部材８０を第二締結部材２０に夫々仮装着した上で、左右一対で二つの固定ボルト９０を第二止め具部材８０のボルト孔８４に挿通し、固定ボルト９０の先端をボルト孔８４内に臨んでいる第一止め具部材７０の雌ネジ７４に螺合して固定ボルト９０を締め付ける。これにより、第一止め具部材７０に対して第二止め具部材８０を固定して、緩み止め具６０の装着が完了するのであるが、第一止め具部材７０の係止部７１や第二止め具部材８０の係止部８１は、工具掛け１３，２３の二面幅に対してクリアランスを有しているため、完全にガタツキのない装着を実現することは困難である。そこで、第一止め具部材７０に設けた止めネジ７３を締め込むことで、第一締結部材１０に対して第一止め具部材７０を堅固に固定する。これにより、緩み止め具６０全体をガタツキのない状態で対象物に装着することができる。すなわち、止めネジ７３は、第一止め具部材７０の突起７２に対向する面に設けられており、止めネジ７３を締め付けることで、第一締結部材１０が止めネジ７３と突起７２とによって堅固に挟持される。
【００３４】
また、第一止め具部材７０に対して第二止め具部材８０を固定した状態では、第二止め具部材８０の突出部８３の分だけ、第一止め具部材７０と第二止め具部材８０との間に隙間が形成される。よって、この隙間を通じて、互いにネジ締結された部材の締結部分を目視により確認することができ、配管の継手等の場合には、接続部分における流体漏れの有無等を確認することができる。また、第一止め具部材７０に第二止め具部材８０を固定すると、第一止め具部材７０に第二止め具部材８０の突出部８３の狭い面が衝合するだけであることから、第一止め具部材７０と第二止め具部材８０との間に滑りが生じ難く、堅固な固定を実現することができる。なお、突出部８３の形状を、断面三角形状としたり、鋸刃状としたり、複数の点状の突起として、第一止め具部材７０に対する衝合面の面積をより少なくすることも有効である。
【００３５】
本例の緩み止め具６０においては、第一締結部材１０の工具掛け１３に対する第二締結部材２０の工具掛け２３の角度の差異によって固定ボルト９０を螺着する雌ネジ７４を変更するのであるが、図４に基づいてこれを説明する。図４（ａ）は、第一締結部材１０の工具掛け１３の角部の方向と第二締結部材２０の工具掛け２３の角部の方向とが合致した状態であり、第一止め具部材７０の左側においては最上段の雌ネジ７４、右側においては最下段の雌ネジ７４の夫々に固定ボルト９０を螺着する。なお、第二止め具部材８０のボルト孔８４が角度Ｌの長穴状となっているため、第一締結部材１０の工具掛け１３の角部の方向に対して第二締結部材２０の工具掛け２３の角部の方向に差異があったとしても、右回り方向に角度Ｌ（本例では１２°）分の差異が許容される。図４（ｂ）は、第一締結部材１０の工具掛け１３の角部の方向に対して第二締結部材２０の工具掛け２３の角部の方向がＰ（本例では１５°）分の差異が生じている状態を示すものであり、図４（ｃ）及び図４（ｄ）は、夫々、２Ｐ（本例では３０°）分、３Ｐ（本例では４５°）分の差異が生じている状態を示すものである。なお、３Ｐ以上の差異が生じている場合には、４Ｐ（本例では６０°）の差異までは図４（ａ）の状態でボルト孔８３の長穴形状で対応させればよい。
【００３６】
ところで、本例では、第二止め具部材８０のボルト孔８４の長穴形状を第一止め具部材７０の雌ネジ７４のピッチ角度未満としており、ピッチ角度以上とした場合の不具合を解消している。次に、図５に基づいてこれを説明する。ボルト孔８４の長穴形状を雌ネジ７４のピッチ角度と同一とすると、ボルト孔８４内に二つの雌ネジ７４が臨む現象が生じる場合がある。この場合、ネジ締結された部材の締り方向側の雌ネジ７４ａを選択して固定ボルト９０を螺着すればよいのであるが、図５に示すように、ネジ締結された部材の緩み方向（図５の矢印Ａ参照）側の雌ネジ７４ｂを選択して固定ボルト９０を螺着すると、固定ボルト９０が緩んだり、第一止め具部材７０と第二止め具部材８０との間に滑りが生じたりして第一止め具部材７０に対して第二止め具部材８０が回転しようとすると、ボルト孔８４の長穴形状の分だけ、回転を許容してしまう。これに対して、第二止め具部材８０のボルト孔８４の長穴形状を第一止め具部材７０の雌ネジ７４のピッチ角度未満とすれば、ボルト孔８４に臨む雌ネジ７４は一つに限られ、上述の不具合が生じない。
【００３７】
なお、ボルト孔８４の長穴の角度を雌ネジ７４のピッチ角度未満とすると、その差の分（本例では３°分）だけ連続した角度調節の自由度がなくなる。しかしながら、ボルト孔８４自体が固定ボルト９０に対してある程度のクリアランスがあり、また、第一止め具部材７０や第二止め具部材８０の夫々の係止部７１，８１にもある程度のクリアランスがある。このため、ボルト孔８４の長穴の角度と雌ネジ７４のピッチ角度との差により阻害される自由度については、これらのクリアランスによって補填される。よって、ボルト孔８４の長穴の角度を雌ネジ７４のピッチ角度未満とする場合には、例えば本例の如く、雌ネジ７４のピッチ角度：Ｐ＝１５°に対して僅かに少ないＬ＝１２°の長穴といったように、ピッチ角度に対して長穴の角度を−１〜５°の僅かに小さな角度とすればよい。
【００３８】
以上、本発明に係る緩み止め具の一例を説明したが、本発明の緩み止め具は、上述の例に限らず、本発明の要旨を逸脱しない範囲で適宜の変更が可能である。例えば、止めネジを、第一止め具部材ではなく第二止め具部材に設けたり、第一止め具部材及び第二止め具部材の双方に設けたりしてもよい。また、止めネジを突起に対向する面に設けるに限らず、対向する２面幅の面に設けてもよい。さらに、止めネジとして、上述の例の如く雌ネジ孔内に埋没するタイプのものに限らず、六角ボルトや六角穴付きボルト等のように頭部を有するタイプのものを採用してもよい。
【００３９】
また、緩み止めの対象であるネジによって互いに締結された部材としては、管継手に限らず、ダブルナット等、夫々に六角形状の工具掛けを有し互いにネジ締結された種々の部材を対象とすることができる。
【００４０】
また、本発明に係る緩み止め具は、第一締結部材に装着される第一止め具部材と第二締結部材に装着される第二止め具部材とが別体である。よって、第一止め具部材及び第二止め具部材として、二面幅の種々の寸法に応じた複数種類のものを用意しておき、第一締結部材の二面幅及び第二締結部材の二面幅に応じて適宜の第一止め具部材及び第二止め具部材を組み合わせて用いることで、種々の二面幅の組み合わせに対応することができる。
【００４１】
また、第一止め具部材の雌ネジに代えて固定ボルトを挿通させる貫通孔を設けて、固定ボルトを雌ネジではなくナットによって締結するようにしてもよい。
【符号の説明】
【００４２】
１０  雌側継手（第一締結部材）          ７０  第一止め具部材
１１  スリーブ                          ７１  係止部
１２  ハウジング                        ７２  突起
１３  工具掛け                          ７３  止めネジ
２０  雄側継手（第二締結部材）          ７４  雌ネジ
２１  スリーブ                          ７５  延出部
２２  ハウジング                        ８０  第二止め具部材
２３  工具掛け                          ８１  係止部
３０  管継手                            ８２  突起
４０  パッキン                          ８３  突部
５０  ホース                            ８４  ボルト孔
６０  緩み止め具                        ９０  固定ボルト
【図１】
2016038026.tif 000003
【図２】
2016038026.tif 000004
【図３】
2016038026.tif 000005
【図４】
2016038026.tif 000006
【図５】
2016038026.tif 000007
【図６】
2016038026.tif 000008